(57)【特許請求の範囲】
【請求項１】
空気入口及び空気出口を有するハウジングと、前記空気入口及び空気出口間に配置され空気循環手段及び空気加熱手段を有する温風流発生手段と、頭髪から放出される放射を測定する検出手段と、前記空気循環手段と前記空気加熱手段とに作用し、温風流を放出された放射の測定値の関数として調整する制御手段とを具えるヘアードライヤにおいて、
前記制御手段が前記空気循環手段と前記空気加熱手段とに同時に作用し、且つこの制御手段が、
前記温風流の速度の変化を、放出された放射の測定値の関数として規定する第１特性に応じて、前記空気循環手段を制御する第１回路と、
加熱電力の変化を、放出された放射の測定値の関数として規定する第２特性に応じて、前記空気加熱手段を制御する第２回路と
を具えていることを特徴とするヘアードライヤ。
【請求項２】
請求項１に記載のヘアードライヤにおいて、前記制御手段が、前記空気循環手段と前記空気加熱手段とを前記の放射の測定値の関数として制御するアナログ回路を具えていることを特徴とするヘアードライヤ。
【請求項３】
請求項１に記載のヘアードライヤにおいて、前記制御手段が、前記空気循環手段及び前記空気加熱手段を前記の放射の測定値の関数として制御するデジタル変換表を有していることを特徴とするヘアードライヤ。
【発明の詳細な説明】
【０００１】
【産業上の利用分野】
本発明は、空気入口及び空気出口を有するハウジングと、前記の空気入口及び空気出口間に配置され空気循環手段及び空気加熱手段を有する温風流発生手段と、頭髪から放出される放射を測定する検出手段とを具えるヘアードライヤに関するものである。
【０００２】
頭髪の乾燥は頭髪についている水分を温風の流れにより蒸発させるものである。この温風の流れは、ファンにより空気の流れを生ぜしめ、この空気の流れを加熱素子に接触するように通して加熱することにより得られる。この蒸発過程の開始時には、頭髪に付着した水分が、頭髪又は頭皮を傷めたり燃やしたりするのを防止する熱遮蔽を構成する。水分が蒸発するのに比例して、遮蔽力が弱まり、頭髪の傷みや頭髪が燃えた感覚が生じ、頭髪が実際に燃えてしまったりもする。
【０００３】
頭髪や頭皮が乾燥過程中に過大温度にさらされるのを防止するために、頭髪の温度を測定する考えがある。
【０００４】
【従来の技術】
頭髪と直接接触することのない検出器を用いる既知の方法の１つは、英国特許公開第２０９３３４３号明細書に開示されている方法である。この方法の場合、ヘアードライヤ本体の外部に配置した赤外線検出器によりある距離から頭髪温度を測定している。光学系が、乾燥されている頭髪の位置への焦合を可能にしている。赤外線検出器は所定の温度を越えた際に加熱手段に作用する。
【０００５】
これにより、乾燥中空気の流れの温度が周囲温度に逐次近づくようになる。一方、最初湿っていた、従って重く且つ堅かった頭髪が逐次軽く且つなびきやすくなり、従って空気の流れにより極めて容易にかく乱されるおそれがあり、これにより頭髪を傷めたり、不快感を生ぜしめる。
【０００６】
【発明が解決しようとする課題】
本発明の目的は、頭髪の傷みを回避するとともにユーザの心地良さを高めることにある。
【０００７】
【課題を解決するための手段】
本発明は、空気入口及び空気出口を有するハウジングと、前記空気入口及び空気出口間に配置され空気循環手段及び空気加熱手段を有する温風流発生手段と、頭髪から放出される放射を測定する検出手段と、前記空気循環手段と前記空気加熱手段とに作用し、温風流を放出された放射の測定値の関数として調整する制御手段とを具えるヘアードライヤにおいて、前記制御手段が前記空気循環手段と前記空気加熱手段とに同時に作用し、且つこの制御手段が、前記温風流の速度の変化を、放出された放射の測定値の関数として規定する第１特性に応じて、前記空気循環手段を制御する第１回路と、加熱電力の変化を、放出された放射の測定値の関数として規定する第２特性に応じて、前記空気加熱手段を制御する第２回路とを具えていることを特徴とする。
【０００８】
本発明によれば、最初、頭髪がその湿気のために熱遮蔽を成して、頭髪が燃えたり不快感を生ぜしめたりするおそれが無く、温風の流れにより乾燥過程が行われ、その後乾燥過程の途中で逐次減少する流速及び減少する温度の空気が吹出され、これにより、より良好な乾燥過程に導き、頭髪のかく乱及び傷みを無くし、ユーザの心地良さを高める。更に、空気循環手段により生ぜしめられる雑音の減少により、乾燥過程の進行状況、特に乾燥過程の終了をユーザに知らせる。この点は、乾燥動作を第三者が行う場合に有効なことである。
【０００９】
空気の流れの流速及び温度の同時変化はユーザの耳及び皮膚にとって同様に良好に認識しうる為、ユーザに乾燥過程の終了が知らされる。乾燥過程のこの終了は、空気の流れの影響を受け検出手段により温度が測定されている頭髪の領域に関するものであるということをも示す必要がある。これにより、ヘアードライヤを他の頭髪領域に移動しうるということがユーザに知らされる。ユーザに対するこの音響的な警報システムは、ユーザの頭皮のすぐそばに位置しない長い頭髪の一部を乾燥している場合にも同様に有効である。
【００１０】
【実施例】
図１は本発明によるヘアードライヤ５を示し、このヘアードライヤはハウジング１０を有し、その空気入口１１と空気出口１２との間に空気循環手段１３と、これに後続し、循環空気を加熱する手段１４とが設けられている。空気循環手段１３は例えばファンを以って構成する。空気循環手段１３及び加熱手段１４は制御手段１８(CONTROL) を経て電源１６に接続される。これにより、空気を加熱し、ヘアードライヤの外部に送給しうる。ヘアードライヤを使用するには、ユーザが空気出口１２から出る温風流１７を頭髪８に向ける。
【００１１】
本発明によれば、頭髪により放出される熱放射を測定する手段２０、例えば赤外線検出器を用いる。赤外線検出器２０は制御手段１８に接続され、頭髪の測定温度に応じて空気循環手段１３及び加熱手段１４を調整する。この調整を達成するために、制御手段１８が温度と空気の流速との組合せに自動変化を導入する。
【００１２】
これらの自動変化を表わす一例を図２に示す。この図２には、ヘアードライヤが頭髪の同じ領域に永続的に向けられている場合が示されている。
【００１３】
曲線２０は空気出口１２から約９cmの位置における空気の温度Ｔaの時間ｔに対する変化を示す。
【００１４】
曲線２２は検出器２０により測定された頭髪温度Ｔh の時間ｔに対する変化を示す。
【００１５】
曲線２４は加熱手段１４で消費される電力Ｐの時間ｔに対する変化を示す。
【００１６】
曲線２６は空気出口１２から約９cmの位置における空気の速度Ｓの時間に対する変化を示す。
【００１７】
この場合、温度Ｔh ＝２０℃の湿った頭髪及びＰ＝１３００Ｗ，Ｓ＝１２ｍ／秒，Ｔa ＝７５℃の開始特性を有するヘアードライヤを以って乾燥動作を開始した場合を考慮した。
【００１８】
本発明によれば、制御手段１８が、開始時の強力な乾燥から逐次ゆるやかな乾燥に変化し、サイクルの終了時に弱い乾燥効果で終了するようにヘアードライヤの設定値を自動的に変化させる。
【００１９】
ユーザの心地良さを達成するためには、例えば、乾燥過程の終了時に頭髪温度が多くとも４０℃となるようにするのが望ましい。これを達成するために、ヘアードライヤから放出される空気の温度を例えばＴa ＝７５℃からＴa＝４５℃に逐次減少させる。Ｔa とＴh との間にはわずかな差を与える必要がある。頭髪は乾燥過程中逐次なびきやすくなる為、制御手段１８はこれに対応して空気の流速を例えば１２ｍ／秒から６ｍ／秒まで減少させ、頭髪が空気の流れによりあまり乱れないようにする。加熱電力も例えば１３００Ｗから４００Ｗまで減少させる。実際、空気の流れが減少している間この電力を減少させ、ヘアードライヤを損傷しないようにするのが好ましい。
【００２０】
以下の表１は本発明により達成する心地良さ及び安全性の条件を得る制御データの一例を示す。
【００２１】
【表１】
0003704372.tif 000002
【００２２】
図３は、加熱電力の変化を表わす曲線２５と、適切に供給しうる空気の流速の曲線２７とを、検出器２０により検出された頭髪８の温度の関数として示している。これらの曲線は、所定時の乾燥過程の影響を受ける頭髪領域に関連するものである。
【００２３】
制御手段１８は例えば図４に示すものとする。この制御手段は信号増幅器１９とこれに続く２つのアナログ回路２１及び２３とを有し、これらアナログ回路がそれぞれ図３に示す特性曲線２５及び２７に応じて適切なトランジスタ又はトライアック電力回路３１及び３３を介して一方では加熱電力を、他方では空気の流速を制御する。これらの特性曲線は図３に示すように非直線とするのが好ましい。これらの特性曲線の形状は他の形状にすることができる。他の実施例では、アナログ回路の代わりに、アナログ−デジタル変換器と、特性曲線２５及び２７を生じるデジタル変換表と、上述した電力回路を制御するデジタル−アナログ変換器とを有するデジタル処理回路を用いる。
【００２４】
ユーザがヘアードライヤを、依然として湿った、従って依然としてつめたい領域に移動させると、温度検出器２０が低い頭髪温度を検出し、制御手段１８が直ちに図３の曲線に応じて加熱電力及び空気の流れを再調整する。
【００２５】
頭髪から放出される赤外線を測定しうるいかなる検出器をも用いることができる。この検出器は英国特許公開第２０９３３４３号明細書に記載された検出器とするか或いは他のいかなる検出器とすることもできる。熱−電気出力を発生する複数のセルより成る検出器を用いるのが好ましい。各セルは、導体及び半導体層の双方又はいずれか一方の積層体を以って構成し、セルが熱流に応答して電位差を誘起するようにする。このような検出器は例えは、フランス国特許公開第２４７１０５５号及び第２５９８８０３号明細書に開示されている。
【図面の簡単な説明】
【図１】本発明によるヘアードライヤの一実施例を示す構成図である。
【図２】ヘアードライヤの動作時における空気温度、頭髪温度、空気の流速及び加熱素子で消費される電力の自動変化の一例を示すグラフ線図である。
【図３】加熱素子で消費される電力の変化及びファンにより生ぜしめられる空気の流速の変化を頭髪の温度の関数として表わす代表的な曲線を示すグラフ線図である。
【図４】空気の温度及び流速に対する自動制御手段を示すブロック線図である。
【符号の説明】
５ヘアードライヤ
８頭髪
１０ハウジング
１１空気入口
１２空気出口
１３空気循環手段
１４加熱手段
１６電源
１７温風流
１８制御手段
１９信号増幅器
２０熱放射測定手段（赤外線検出器）
２１，２３アナログ回路
３１，３３トランジスタ又はトライアック電力回路
【図１】
0003704372.tif 000003
【図２】
0003704372.tif 000004
【図３】
0003704372.tif 000005
【図４】
0003704372.tif 000006